(57)【要約】【課題】引戸に設けられるとともに、猫や、室内犬等のペットが安全に出入りできるペット用くぐり戸を提供する。【解決手段】引戸８に設けられ、ペットを安全に出入りさせるためのくぐり戸Ａであって、該くぐり戸本体１は、枠体１１と、扉体１２と、該枠体１１の上部に設けられた軸受け部１４で支承され、扉体１２を揺動自在に軸支する回転軸１３とからなり、この回転軸１３の一端部を延設するとともに、この延設軸部１３１に、上記扉体１２と連動して引戸８内の収納部２ａから出没自在とされたストッパー２が軸支されていることを特徴とするペット用くぐり戸。【選択図】図２
2005068768.tif 000002
【特許請求の範囲】
【請求項１】
引戸に設けられ、ペットを安全に出入りさせるためのくぐり戸であって、該くぐり戸本体は、枠体と、扉体と、該枠体の上部に設けられた軸受け部で支承され、扉体を揺動自在に軸支する回転軸とからなり、この回転軸の一端部を延設するとともに、この延設軸部に、上記扉体と連動して引戸内の収納部から出没自在とされたストッパーが軸支されていることを特徴とするペット用くぐり戸。
【請求項２】
引戸に設けられ、ペットを安全に出入りさせるためのくぐり戸であって、該くぐり戸本体は、枠体と、扉体と、この扉体を軸支する揺動軸とからなり、この揺動軸の両端部には端部回転軸が延設されるとともに、これら左右端部回転軸は、引戸に内設された軸受け部によって回動自在に支承され、上記左右端部回転軸と枠体との間の揺動軸には、上記扉体と連動して引戸内の収納部から出没自在とされた左右ガード部材が軸支されていることを特徴とするペット用くぐり戸。
【請求項３】
上記揺動軸が側断面略正方形であるとともに、この揺動軸の両端部に延設された端部回転軸が丸棒状である請求項２に記載のペット用くぐり戸。
【請求項４】
上記扉体の下部に鉄片を付設するとともに、上記枠体の下枠にマグネットを付設し、上記鉄片とマグネットとが磁性係止手段を構成する請求項２に記載のペット用くぐり戸。
【請求項５】
上記磁性係止手段と連動するブザーがマグネットスイッチを介して設けられた
請求項４に記載のペット用くぐり戸。
【発明の詳細な説明】
【技術分野】
【０００１】
本発明は、ペット用出入り口に係り、さらに詳しくは、引戸に設けられ、ペットが安全に出入りできるペット用くぐり戸に関する。
【背景技術】
【０００２】
従来、引戸に設けられるペット用のくぐり戸に関しては種々の技術が公知であり、例えば、特許文献１、２、３等があげられる。
【特許文献１】実開昭５６−１６５８９１号公報（第１頁、第１図、第２図、第４図）
【特許文献２】特開２０００−２４０３７０号公報（第１−４頁、第１〜３図）
【特許文献３】特開２０００−１３００４６号公報（第１−３頁、第１〜２図）
【発明の開示】
【発明が解決しようとする課題】
【０００３】
例えば、特許文献１には、ペットが本願図８に示すように通過し、通過した後は、磁力の吸引作用を利用して、閉止するペット用くぐり戸が開示されている。しかしながら、建具が引き違い戸の場合、本願図８に示すように、ペットが出入りする状態で引戸を引くと、ペットがくぐり戸と引き違い戸の間に挟まれ、危険な状態となる。本発明はこのような問題を解決し、引戸に設けられるとともに、猫や、室内犬等のペットが安全に出入りできるくぐり戸を提供することを、その課題とする。
【課題を解決するための手段】
【０００４】
本発明は、上記課題を解決するために考え出されたものであって、つぎのような技術的手段を講じている。すなわち、本願第一発明によれば、引戸に設けられ、ペットを安全に出入りさせるためのくぐり戸であって、該くぐり戸本体は、枠体と、扉体と、該枠体の上部に設けられた軸受け部で支承され、扉体を揺動自在に軸支する回転軸とからなり、この回転軸の一端部を延設するとともに、この延設軸部に、上記扉体と連動して引戸内の収納部から出没自在とされたストッパーが軸支されていることを特徴とするペット用くぐり戸が提供される。
【０００５】
本願第二発明によれば、引戸に設けられ、ペットを安全に出入りさせるためのくぐり戸であって、該くぐり戸本体は、枠体と、扉体と、この扉体を軸支する揺動軸とからなり、この揺動軸の両端部には端部回転軸が延設されるとともに、これら左右端部回転軸は、引戸に内設された軸受け部によって回動自在に支承され、上記左右端部回転軸と枠体との間の揺動軸には、上記扉体と連動して引戸内の収納部から出没自在とされた左右ガード部材が軸支されていることを特徴とするペット用くぐり戸が提供される。
【０００６】
上記揺動軸が側断面略正方形であるとともに、この揺動軸の両端部に延設された端部回転軸が丸棒状であることが好ましい。
【０００７】
上記扉体の下部に鉄片を付設するとともに、上記枠体の下枠にマグネットを付設し、上記鉄片とマグネットとが磁性係止手段を構成することが好ましい。また、上記磁性係止手段と連動するブザーがマグネットスイッチを介して設けられることが好ましい。
【発明の効果】
【０００８】
請求項１に記載の第一発明は上記のとおりであり、とくに、くぐり戸本体から延設された延設軸部に上記扉体と連動するストッパーが、引戸内の収納部から出没自在に軸支されているため、ペットが出入りするときに、誤って引戸を引いても、方立または、障子や襖などの引き違い戸にストッパーが掛ってそれ以上引けなくなり、ペットを安全に出入りさせることができる。
【０００９】
請求項２に記載の第二発明は上記のとおりであり、とくに、上記扉体と連動して引戸内の収納部から出没自在とされた左右ガード部材が設けられているため、ペットが出入りするときに、誤って引戸を引いても、障子や襖などの引き違い戸に左右いずれかのガード部材が掛ってそれ以上引けなくなり、ペットを安全に出入りさせることができる。
【００１０】
上記揺動軸が側断面略正方形であるとともに、この揺動軸の両端部に延設された端部回転軸がともに丸棒状とされているため、扉体およびガード部材が揺動軸の角部と係合してしっかりと揺動軸に固定され、また、端部回転軸が軸受け部で滑らかに回動することができる。
【００１１】
上記扉体の下部に鉄片を付設するとともに、上記枠体の下枠にマグネットを付設し、上記鉄片とマグネットとが磁性係止手段を構成しているため、ペットが出入りしないときは、扉体は閉止し、またガード部材も引戸内の収納部にきっちりと収納される。
【００１２】
上記磁性係止手段と連動するブザーがマグネットスイッチを介して設けられているため、ペットの出入りを居ながらにして知ることができる。
【発明を実施するための最良の形態】
【００１３】
以下、本発明の実施形態について図面を参照して、詳細に説明する。図１は、第一発明にかかるペット用くぐり戸Ａを示す正面図である。図１において、ペット用くぐり戸本体１は、片引き引戸８の中央下部に設けられ、このくぐり戸本体１は、枠体１１と、扉体１２と、枠体１１の上部に設けられた軸受け部１４で支承されるとともに、扉体１２を貫通する回転軸１３とからなり、扉体１２は、回転軸１３によって揺動自在に軸支されている。一方、ストッパー２が、回転軸１３に延設された延設軸部１３１に回動自在に軸支されている。図１からよくわかるように、ストッパー２は、その中央部を延設軸部１３１により軸支されているため、ストッパー２の下部２２は扉体１２と同一位相で回動し、ストッパー２の上部２１は扉体１２と反対位相で回動する。ストッパー２は、扉体１２が閉止しているときは、引戸内に設けられたストッパー収納部２ａに収納される。なお、図１は、ストッパー２をくぐり戸本体１の向かって右に設けた場合を示すが、左側に設けてもよく、建具の状況に応じて適宜設計変更可能である。
【００１４】
図２は、上記ペット用くぐり戸Ａを備えた片引き引戸８を引いたとき、ストッパー２が方立９に掛り、ペットが挟まれるのを防ぐ状態を示す斜視図である。このように、ペットがくぐり戸本体１を出入りするときに、誤って片引き引戸８を引いても、ストッパー２の下部２２が、扉体１２と連動して手前に突出するためそれ以上引けず、ペットが方立９と枠体１１との間に挟まれるのを防ぐことができる。
【００１５】
図３は、第二発明にかかるペット用くぐり戸Ｂを示す分解正面図である。図３において、枠体３１は、引き違い戸８１に設けられ、この枠体３１と、扉体３２と、この扉体３２を揺動自在に軸支する側断面略正方形の揺動軸３３とからペット用くぐり戸本体３が構成される。上記揺動軸３３の左右端部には丸棒状の回転軸３３１、３３２が延設されるとともに、左右回転軸３３１、３３２は、引き違い戸８１に内設された左軸受け部４１と右軸受け部４２とによって支承されている。この左軸受け部４１と枠体３１との間、および、右軸受け部４２と枠体３１との間には、扉体３２と揺動自在に連動する左ガード部材５１および右ガード部材５２がそれぞれ介装され、通常、左右ガード部材５１、５２は、引き違い戸８１に設けられた左収納部５１１および右収納部５２１に収められている。図４は、図３におけるＸ−Ｘ線に沿う側断面図であり、図４からよくわかるように、ガード部材５２と扉体３２とは、側断面略正方形の揺動軸３３にしっかりと固定され、連動する。
【００１６】
図３、図４に示すように、扉体３２の下部には鉄片３２１が付設され、かつ、枠体３１の下枠にはマグネット３１１が付設されてペットが出入りしないときは、磁力によって扉体３２が枠体３１にしっかりと磁性係止される。ペットが扉体３２を押して出入りする場合は、図５に示すように、扉体３２に連動して左右ガード部材５１、５２が突出し、このときに、誤って引き違い戸８１あるいは引き違い戸８２を引いても、図５に示すように、右ガード部材５２がブロックして、ペットが枠体３１と引き違い戸８２との間に挟まれることを防ぐ。
【００１７】
図６は、扉体３２の下部に付設された鉄片３２１と、枠体３１の下枠に付設されたマグネット３１１からなる磁性係止手段と連動して作動するマグネットスイッチ６を内設したペット用くぐり戸Ｂを示す正面図である。ペットが扉体３２を押して、磁性係止が解除され、例えば、図５に示す状態となったとき、マグネットスイッチ６が作動し、ブザー７が鳴ってペットの出入りを知ることができる。図７に、ブザー７と、ブザー７に内蔵された電池Ｃと、マグネットスイッチ６とからなる回路図を示す。図７において、ブザー７の代わりにフィラッシュライトを用いてもよい。あるいは、ブザー７とフラッシュライトを設け、切替えレバーにより選択できるようにしてもよい。また、両者が同時に作動するようにすることも可能である。
【図面の簡単な説明】
【００１８】
【図１】第一発明にかかるペット用くぐり戸を示す正面図である。
【図２】第一発明にかかるペット用くぐり戸の作動状態を示す斜視図である。
【図３】第二発明にかかるペット用くぐり戸を示す分解正面図である。
【図４】図３におけるＸ−Ｘ線に沿う側断面図である。
【図５】第二発明にかかるペット用くぐり戸の作動状態を示す斜視図である。
【図６】マグネットスイッチを内設した第二発明にかかるペット用くぐり戸を示す正面図である。
【図７】マグネットスイッチを含む回路を示す回路図である。
【図８】公知のペット用くぐり戸を示す斜視図である。
【符号の説明】
【００１９】
Ａ          第一発明にかかるペット用くぐり戸
１          上記におけるくぐり戸本体
１１        枠体
１２        扉体
１３        回転軸
１３１      延設軸部
１４        軸受け部
２          ストッパー
２１        同上上部
２２        同上下部
２ａ        ストッパー収納部
Ｂ          第二発明にかかるペット用くぐり戸
３          上記におけるくぐり戸本体
３１        枠体
３１１      マグネット
３２        扉体
３２１      鉄片
３３        揺動軸
３３１      上記の左端部に延設された丸棒状回転軸
３３２      上記の右端部に延設された丸棒状回転軸
４１        左軸受け部
４２        右軸受け部
５１        左ガード部材
５１１      左収納部
５２        右ガード部材
５２１      右収納部
６          マグネットスイッチ
７          ブザー
Ｃ          電池
８          片引き引戸
８１、８２  引き違い戸
９          方立
【図１】
2005068768.tif 000003
【図２】
2005068768.tif 000004
【図３】
2005068768.tif 000005
【図４】
2005068768.tif 000006
【図５】
2005068768.tif 000007
【図６】
2005068768.tif 000008
【図７】
2005068768.tif 000009
【図８】
2005068768.tif 000010